(57)【要約】  【課題】貝殻の粉砕粒を研掃材とした上で、噴射ノズル内での研掃材の詰まりを防ぎ、当該研掃材の良好な噴射状態を確保して、ブラスト作業を効率的に行う。  【解決手段】貝殻の粉砕粒を用いた研掃材Ａ１を、噴射ノズル１の混合室７に噴射される水の勢いによる負圧によって混合室７に吸込み、その吸込まれる際の勢いと噴射される水の勢いで研掃材Ａ１を混合室７で攪拌するとともに、水と混合する。  【選択図】  図２
0003115408.tif 000002
【実用新案登録請求の範囲】
【請求項１】
貝殻の粉砕粒を研掃材とする研掃用ブラスト装置であって、研掃材を噴射する噴射ノズルと、研掃材を攪拌する攪拌装置と、水を噴射ノズルに圧送する圧力ポンプと、前記攪拌装置内の研掃材を噴射ノズルに供給するための可撓性を有する研掃材用ホースと、水を圧力ポンプから噴射ノズルに供給するための可撓性を有する水用ホースとを備えてなり、噴射ノズルは、噴射口の後方に近接して研掃材と水を混合する混合室を備え、当該混合室には、その下流側に前記水用ホースと連通し、当該水用ホースからの水を噴射ノズルの噴射方向に向けて噴射する水噴射口が、当該水噴射口の上流側に前記研掃材用ホースと連通し、研掃材水噴射口の噴射方向と直交する方向へ研掃材を混合室に供給する供給口が夫々配設され、前記水噴射口から噴射される水の勢いによる負圧で、研掃材を供給口から混合室内に吸込み、その吸込まれる際の勢いと噴射される水の勢いで研掃材を攪拌するとともに、水と混合するようにしていることを特徴とする研掃用ブラスト装置。
【請求項２】
前記攪拌装置は、研掃材を収納する容器に対し自重により下降可能に挿入された攪拌部を有し、当該攪拌部は、研掃材を攪拌する攪拌体と、攪拌体を攪拌方向へ回転させるモーターと、前記攪拌体を内蔵するとともに、前記研掃材用ホースと連通して容器内の研掃材を吸い上げる吸い上げ管とを含み、当該攪拌装置は、攪拌体が研掃材を攪拌しながら、前記吸い上げ管が前記水の噴射による負圧で研掃材を吸い上げることによって減少する容器内の研掃材に伴って下降するようにしていることを特徴とする請求項１に記載の研掃用ブラスト装置。
【請求項３】
前記攪拌体は、研掃材を攪拌しながら吸い上げ管の吸い上げ方向に運搬可能な螺旋構造を有するものであることを特徴とする請求項２に記載の研掃用ブラスト装置。
【請求項４】
前記容器の全長又は中途から下端部に亘る部位を下方へ向けて先細り状に形成し、その容器の底部の径と前記吸い上げ管の下端部の外径とを略同径とし、これら底部と下端部とが同心にされていることを特徴とする請求項２又は請求項３に記載の研掃用ブラスト装置。
【請求項５】
前記容器の上部に前記吸い上げ管を上下動可能に支持する支持孔を設け、当該支持孔はその直径を、吸い上げ管の自重による下降を阻害せず、且つ、吸い上げ管のがたつきが少ない状態で吸い上げ管が遊嵌合される程度の径としていることを特徴とする請求項２乃至請求項４何れか１項に記載の研掃用ブラスト装置。
【請求項６】
前記吸い上げ管と前記支持孔とに亘って、吸い上げ管の回転を阻止する回転阻止手段を設けてなり、当該回転阻止手段は、吸い上げ管の外側面に固着された回転阻止体と、前記支持孔と並列して連設された回転阻止孔とから構成され、回転阻止孔の直径を、吸い上げ管の自重による下降を阻害せずに回転阻止体が遊嵌合される程度の径として、吸い上げ管を支持孔に挿入すると同時に回転阻止体が回転阻止孔に挿入されるようにしていることを特徴とする請求項２乃至請求項５何れか１項に記載の研掃用ブラスト装置。
【請求項７】
前記回転阻止体を容器の内外を連通する管状体にしていることを特徴とする請求項２乃至請求項６何れか１項に記載の研掃用ブラスト装置。
【請求項８】
前記攪拌装置と圧力ポンプとが台車上に一体的に装備されていることを特徴とする請求項１乃至請求項７何れか１項に記載の研掃用ブラスト装置。
【考案の詳細な説明】
【技術分野】
【０００１】
本考案は、建築物等の表面の塗装膜、錆、汚れ等を除去する際等に用いられる研掃用ブラスト装置に関し、詳しくは、貝殻の粉砕粒を研掃材として用いるのに好適な研掃用ブラスト装置に関する。
【背景技術】
【０００２】
貝殻の粉砕粒を研掃材として用いた研掃用ブラスト装置に関連する先行技術文献として例えば、下記の特許文献１〜特許文献３が有る。
前記特許文献１には、貝殻の粉砕粒（粉粒）を研掃材（ブラスト材）とし、この研掃材を水と混合して噴射することによってブラスト処理する方法が記載されている。  
また、前記特許文献２及び特許文献３には、前記研掃材の流動性を確保して、その研掃材の安定供給及び効率的な噴射を行うようにするために、研掃材を攪拌して当該ブラスト材同士の固結を防止することによりその流動性を確保する攪拌装置が記載されている。
【特許文献１】特開２００２−２４３４２３号公報(〔０００７〕、〔図１〕)
【特許文献２】特許第２５８１４９６号公報（〔００１７〕、〔図１〕）
【特許文献３】実用新案登録第３１０７４６０号公報（〔００１８〕〜〔００２０〕、〔図１〕及び〔図２〕）
【考案の開示】
【考案が解決しようとする課題】
【０００３】
ところで、貝殻の粉砕粒は、その形状が略扁平の略鱗片状であるため、粉砕粒同士がくっつき易く流動性に劣り、その上、水分を含むことによって膨らむため、更に流動性が低下する傾向がある。
すなわち、貝殻の粉砕粒からなる研掃材を水と混合して噴射する方法を採用する場合、この研掃材の攪拌を効率的に行って、良好な流動性を確保することが必要である。
しかしながら、研掃材の攪拌を攪拌装置内で行ったとしても、研掃材の流路において徐々にその流動性が低下するため、流路の最下流である噴射ノズル内においてその流動性が保持できず、噴射ノズル内で研掃材の滞留や堆積による詰まりを生じさせてしまう可能性が有るものと思われる。
【０００４】
そこで本考案は、貝殻の粉砕粒を研掃材とした上で、噴射ノズル内での研掃材の詰まりを防ぎ、当該研掃材の良好な噴射状態を確保して、ブラスト作業を効率的に行えるようにすることを課題とし、この課題を解決した研掃用ブラスト装置の提供を目的とする。
【課題を解決するための手段】
【０００５】
本考案は、上記目的を達成するために下記の技術的手段を採用した。
第１考案として、貝殻の粉砕粒を研掃材とする研掃用ブラスト装置であって、研掃材を噴射する噴射ノズルと、研掃材を攪拌する攪拌装置と、水を噴射ノズルに圧送する圧力ポンプと、前記攪拌装置内の研掃材を噴射ノズルに供給するための可撓性を有する研掃材用ホースと、水を圧力ポンプから噴射ノズルに供給するための可撓性を有する水用ホースとを備えてなり、噴射ノズルは、噴射口の後方に近接して研掃材と水を混合する混合室を備え、当該混合室には、その下流側に前記水用ホースと連通し、当該水用ホースからの水を噴射ノズルの噴射方向に向けて噴射する水噴射口が、当該水噴射口の上流側に前記研掃材用ホースと連通し、研掃材水噴射口の噴射方向と直交する方向へ研掃材を混合室に供給する供給口が夫々配設され、前記水噴射口から噴射される水の勢いによる負圧で、研掃材を供給口から混合室内に吸込み、その吸込まれる際の勢いと噴射される水の勢いで研掃材を攪拌するとともに、水と混合するようにしている研掃用ブラスト装置にしたことである。
【０００６】
また、攪拌装置内での研掃材の供給効率を向上させるという観点から、第２考案では、前記攪拌装置は、研掃材を収納する容器に対し自重により下降可能に挿入された攪拌部を有し、当該攪拌部は、研掃材を攪拌する攪拌体と、攪拌体を攪拌方向へ回転させるモーターと、前記攪拌体を内蔵するとともに、前記研掃材用ホースと連通して容器内の研掃材を吸い上げる吸い上げ管とを含み、当該攪拌装置は、攪拌体が研掃材を攪拌しながら、前記吸い上げ管が前記水の噴射による負圧で研掃材を吸い上げることによって減少する容器内の研掃材に伴って下降するようにしている研掃用ブラスト装置にした。
【０００７】
本考案における攪拌体は、吸い上げ管に内蔵可能、且つ研掃材を攪拌可能な構造を有するものであればよく、例えば、第３考案のように、研掃材を攪拌しながら吸い上げ管の吸い上げ方向に運搬可能な螺旋構造を有するものが挙げられる。
【０００８】
また、容器内の研掃材を無駄なく、且つ効率よく吸い上げるという観点から、第４考案では、前記容器の全長又は中途から下端部に亘る部位を下方へ向けて先細り状に形成し、その容器の底部の径と前記吸い上げ管の下端部の外径とを略同径とし、これら底部と下端部とが同心にされている研掃用ブラスト装置にした。
【０００９】
また、攪拌部の容器に対する挿入構造を具体的に提供する観点から、第５考案では、前記容器の上部に前記吸い上げ管を上下動可能に支持する支持孔を設け、当該支持孔はその直径を、吸い上げ管の自重による下降を阻害せず、且つ、吸い上げ管のがたつきが少ない状態で吸い上げ管が遊嵌合される程度の径としている研掃用ブラスト装置にした。
【００１０】
また、前記攪拌体の回転が吸い上げ管に伝達されないようにするという観点から、第６考案では、前記吸い上げ管と前記支持孔とに亘って、吸い上げ管の回転を阻止する回転阻止手段を設けてなり、当該回転阻止手段は、吸い上げ管の外側面に固着された回転阻止体と、前記支持孔と並列して連設された回転阻止孔とから構成され、回転阻止孔の直径を、吸い上げ管の自重による下降を阻害せずに回転阻止体が遊嵌合される程度の径として、吸い上げ管を支持孔に挿入すると同時に回転阻止体が回転阻止孔に挿入されるようにしている研掃用ブラスト装置にした。
【００１１】
また、容器内に空気を供給し、前記負圧による研掃材の吸い上げを効率的に行うという観点から、第７考案では、前記回転阻止体を容器の内外を連通する管状体にしている研掃用ブラスト装置にした。
【００１２】
また、研掃用ブラスト装置の運搬容易性の向上という観点から、第８考案では、攪拌装置と、圧力ポンプとが台車上に一体的に装備されている研掃用ブラスト装置にした。
【考案の効果】
【００１３】
本考案の研掃用ブラスト装置によれば、下記の優れた効果が期待できる。
第１考案によれば、攪拌装置で攪拌された研掃材が、混合室内に噴射される水の勢いによる負圧で混合室内に吸込まれるれ、その吸込まれる際の勢いと噴射される水の勢いで攪拌される。
また、研掃材が水の噴射方向と直交方向に吸込まれるので、その吸込み効率が良好であり、さらに、ノズルの直前において研掃材の攪拌及び水との混合が行われ、研掃材が最も攪拌及び混合された状態でノズルから噴射させることができる。
したがって、貝殻の粉砕粒を研掃材とした上で、噴射ノズル内での研掃材の詰まりを防ぎ、当該研掃材の良好な噴射状態を確保して、ブラスト作業を効率的に行えるようにすることができる。
【００１４】
また、第２考案によれば、攪拌体が研掃材を攪拌しながら、前記吸い上げ管が前記水の噴射による負圧で研掃材を吸い上げるので、攪拌されていない研掃材を吸い上げることが無く、効率的に研掃材を吸い上げることができ、しかも、吸い上げることによって減少する容器内の研掃材に伴って攪拌装置が下降するので、研掃材を最後まで効率よく吸い上げることができる。
したがって、攪拌装置内での研掃材の供給効率を向上させることができる。
【００１５】
また、第３考案によれば、攪拌体が研掃材を攪拌しながら吸い上げ管の吸い上げ方向に運搬可能な螺旋構造であるので、攪拌装置内での研掃材の供給効率を更に向上させることができる。
【００１６】
また、第４考案によれば、容器の最小径部方向に向かって研掃材が減少し、最終的には研掃材が最小径部に至り、この最小径部の径と同径とする吸い上げ管が最小径部の研掃材を吸い上げるので、容器内の研掃材を無駄なく、且つ効率よく吸い上げることができる。
【００１７】
また、第５考案によれば、攪拌部の容器に対する挿入構造を具体的に提供することができる。
【００１８】
また、第６考案によれば、回転阻止手段が吸い上げ管の回転を阻止しているので、攪拌体の回転が吸い上げ管に伝達されず、研掃材の吸い上げを阻害することがない。
【００１９】
また、第７考案によれば、回転阻止体を管状体にしているので、研掃材の吸い上げを阻害することがない上に、容器内に空気を供給することができ、したがって、前記負圧による研掃材の吸い上げを効率的に行うことができる。
【００２０】
また、第８考案によれば、攪拌装置と、圧力ポンプとを台車上に一体的に装備しているので、研掃用ブラスト装置の運搬容易性を向上させることができる。
【考案を実施するための最良の形態】
【００２１】
以下、本考案の研掃用ブラスト装置を実施するための最良の形態を図面に基づいて説明する。
図中符号Ａは研掃用ブラスト装置、符号１は噴射ノズル、符号２は攪拌装置、符号３は圧力ポンプ、符号４は研掃材用ホース、符号５は水用ホース、符号６は台車である。
また、圧力ポンプ３には、水供給用ホース３１が配管されていて、この水供給用ホース３１を水道Ｗに配管することにより、水を噴射ノズル１へと圧送する。
なお、前記台車６にホースリールを設けて、このホースリールに水供給用ホース３１を巻きつけて、水道から離れた場所から研掃用ブラスト装置Ａに水を供給するようにしてもよい（図示せず）。
【００２２】
噴射ノズル１は、図１に示すように、前記研掃材用ホース４と水用ホース５とが配管された手持ちガンタイプのものであり、把持部１１側に水用ホース５が配管され、ノズル１２付近に研掃材用ホース４が配管され、把持部１１のトリガー１１Ａを操作することによって、水と研掃材Ａ１の混合物を噴射したり止めたりするものである。
【００２３】
また、図２に示すように、噴射ノズル１の内部には、水と研掃材Ａ１を混合するための混合室７が設けられている。
混合室７は、略管状体の内側に設けられていて、先端にノズル１２が、側面に研掃材用ホース４が配管される管体１３が、後端に水供給管１４が夫々装着されている。
【００２４】
ノズル１２は、混合室７の後端部から先端部へ向けて先細り状の通路Ｓ１が形成され、当該通路Ｓ１の先端からノズル１２の噴射口１２Ａに亘って通路Ｓ１の先端と同径とする通路Ｓ２が形成されている。
そして、前記形態のノズル１２は、混合室７の先端部に嵌合状に装着されている。
【００２５】
管体１３は、前記ノズル１２における噴射方向（通路Ｓ２の軸線方向）に対し、直交する方向として混合室７に貫通状に装着され、混合室７の外側に突出した部位に前記研掃材用ホース４が配管されている。
【００２６】
水供給管１４は、混合室７の後端部に嵌合状に装着される水噴射ノズル１５と、当該水噴射ノズル１５にねじ込み配管される供給管本体１６とから構成されている。
【００２７】
水噴射ノズル１５は、その先端部の中心に小径噴射口１５Ａが形成され、更に、この噴射口１５Ａと供給管本体１６から水噴射ノズル２５に亘る通路Ｓ３との間に、先細り状の集束通路Ｓ４が形成されていて、この構成によって、通路Ｓ３から圧送される水を集束通路Ｓ４で集束するとともに、集束された水を噴射口１５Ａから混合室７へ勢い良く噴射するようにしている。
そして、混合室７に噴射された水の勢いによる負圧で、攪拌装置２内の研掃材Ａ１が管体１３から混合室７へ吸込まれ、その吸込まれる際の勢いと噴射される水の勢いで研掃材Ａ１を攪拌するとともに、水と混合し、更に、その混合物が連続して圧送される水の勢いによってノズル１２の噴射口１２Ａから噴射されるようにしている。
【００２８】
前記攪拌装置２は、図３及び図４に示すように、研掃材Ａ１を収納する容器２Ａと、その容器２Ａに対し自重により下降可能に挿入された攪拌部２Ｂを有して構成されている。
容器２Ａは、略下半部を先細り状の略円錐状とし、略上半部を円筒形とする容器本体２１Ａと、略上半部の開放部２２Ａを蓋する蓋部２３Ａとから構成されている。
容器本体２１Ａにおける底部２１１は、後述する吸い上げ管２３Ｂの径と略同径の平面部に形成されている。
前記蓋部２３Ａの中心には、攪拌部２Ｂを支持する支持孔２４Ａが形成され、当該支持孔２４Ａには、その両側縁に並列して連設された後述する回転阻止手段８の一方を構成する回転阻止孔８１が２個連設されている。
また、蓋部２３Ａは、容器本体２１Ａに対し、ボルト・ナットＢによって開閉可能に取り付けられている。
【００２９】
攪拌部２Ｂは、研掃材Ａ１を攪拌する螺旋構造を先端側に有する攪拌体２１Ｂと、当該攪拌体２１Ｂを攪拌方向へ回転させるモーター２２Ｂと、前記攪拌体２１Ｂを内蔵するとともに、前記研掃材用ホース４と連通して容器２Ａ内の研掃材Ａ１を吸い上げる前述の吸い上げ管２３Ｂと、前記回転阻止手段８の他方を構成する管状体の回転阻止体８２とから構成されている。
回転阻止体８２は、吸い上げ管２３Ｂの外側に、その軸線に沿い、且つ前記回転阻止孔８１と対向するように２本固着されている。
【００３０】
前記支持孔２４Ａには、前記吸い上げ管２３Ｂが上下動可能に挿入され、前記回転阻止孔８１には、前記回転阻止体８２が上下動可能に挿入される。
また、前記支持孔２４Ａ及び回転阻止孔８１の平面視における形状は、吸い上げ管２３Ｂ及び回転阻止体８２の平面視における形状と相似形であり、その径は、吸い上げ管２３Ｂ及び回転阻止体８２の径よりも若干大径として、吸い上げ管２３Ｂ及び回転阻止体８２
を吸い上げ管の自重による下降を阻害せず、且つ、吸い上げ管２３Ｂをそのがたつきが少ない状態で遊嵌合するようにしている。
また、前記支持孔２４Ａ及び回転阻止孔８１の周囲縁には、平面視において前記周囲縁の形状と同一形状の支持管２４Ｂが立設され、この支持管２４Ｂで吸い上げ管２３Ｂ及び回転阻止体８２の下降を案内する。
【００３１】
前記構成の攪拌装置２は、容器２Ａ内の研掃材Ａ１上に攪拌部２Ｂにおける攪拌体２１Ｂと吸い上げ管２３Ｂの先端が載置される状態で、攪拌部２Ｂの下降が阻止されている。
そして、攪拌装置２を作動させて攪拌体２１Ｂを回転させ、ポンプ３を作動させて噴射ノズル１を操作することによって、水が噴射ノズル１へ圧送されるとともに、混合室７内へ勢い良く噴射され、その噴射による負圧で前記容器２Ａ内の研掃材Ａ１が吸い上げ管２３Ｂから研掃材用ホース４を経て混合室７内に吸込まれ、前記のように攪拌・混合されて噴射される。
前記のように容器２Ａ内の研掃材Ａ１は、吸い上げられることによって減少し、その減少に伴って前記攪拌部２Ｂが下降する。
また、水の圧送を続けている状態では、攪拌部２Ｂが下降しながらその攪拌体２１Ｂで研掃材Ａ１を攪拌し、吸い上げ管２３Ｂが前記負圧によって研掃材Ａ１を吸い上げている。
また、攪拌体２１Ｂによる研掃材Ａ１の攪拌は、螺旋構造が設けられている範囲で行われ、すなわち、吸い上げ管で吸い上げられる研掃材Ａ１が螺旋構造の終端部に至るまで攪拌される。
【００３２】
尚、本形態の攪拌体２１Ｂにおける螺旋構造は、図面上、攪拌体２１Ｂの全長に対し約１／５の範囲に設けられているが、本考案では、例示した範囲に限定するものではなく、例示した範囲よりも長い範囲や短い範囲で螺旋構造を設けてもよい。
また、本願考案は、例示した実施の形態に限定するものではなく、実用新案登録請求の範囲に記載された内容から逸脱することなく、他の構成による実施も可能である。
【図面の簡単な説明】
【００３３】
【図１】研掃材用ブラスト装置の全体図。
【図２】噴射ノズルの要部拡大断面図。
【図３】攪拌装置の拡大断面図。
【図４】図３の（４）−（４）線断面図で一部切欠して示す。
【符号の説明】
【００３４】
Ａ：研掃用ブラスト装置
Ａ１：研掃材
１：噴射ノズル
２：攪拌装置
３：圧力ポンプ
４：研掃材用ホース
５：水用ホース
６：台車
７：混合室
８：回転阻止手段
１２：ノズル
１３：管体
１４：水供給管
１５：水噴射ノズル
８１：回転阻止孔
８２：回転阻止体
２１１：底部
２Ａ：容器
２Ｂ：攪拌部
１２Ａ：噴射口
１５Ａ：小径噴射口
２１Ａ：容器本体
２２Ａ：開放部
２３Ａ：蓋部
２４Ａ：支持孔
２１Ｂ：攪拌体
２２Ｂ：モーター
２３Ｂ：吸い上げ管
Ｓ１：通路
Ｓ２：通路
Ｓ４：集束通路
【図１】
0003115408.tif 000003
【図２】
0003115408.tif 000004
【図３】
0003115408.tif 000005
【図４】
0003115408.tif 000006